(57)【要約】【課題】噴霧粒子が粗で狭角度の噴霧が可能な尻部洗浄等に適した洗浄用スプレーの噴霧ノズル装置を提供することにある。【解決手段】装置本体１０と、先端中心部にノズル孔１７を有し装置本体１０の先端螺装部１２に螺着されるノズルキャップ１５と、該キャップ内に位置し前記ノズル孔１７から噴出する洗浄液体に旋回流を与える頭部２２を有した虫部材２０とを備え、この虫部材２０の頭部先端面に、前記ノズル孔１７に連通する所定深さの有底円形中心穴２３と、この円形中心穴を同心的に外囲する前記中心穴より大径で深さの浅い円形浅底凹所２４及び該浅底凹所を外囲する頭部端面リング２５と、前記中心穴２３の深さと略同一の溝深さを有し一端が頭部外周部に開口し頭部端面リング２５及び前記浅底凹所２４を横切って他端が前記中心穴２３に接線状に連通接続される複数本の液体流通溝２６とを設けたことを特徴とする。【選択図】　　図２
2004097906.tif 000002
【特許請求の範囲】
【請求項１】
先端に螺装部を有する装置本体と、先端中心部にノズル孔を有し前記装置本体の先端螺装部に螺着されるノズルキャップと、該キャップ内に位置し前記ノズル孔から噴出する洗浄液体に旋回流を与える頭部を有した虫部材とを備え、この虫部材の頭部先端面に、前記ノズル孔に連通する所定深さの有底円形中心穴と、この円形中心穴を同心的に外囲する前記中心穴より大径で深さの浅い円形浅底凹所及び該浅底凹所を外囲する頭部端面リングと、前記中心穴の深さと略同一の溝深さを有し一端が頭部外周部に開口し頭部端面リング及び前記浅底凹所を横切って他端が前記中心穴に接線状に連通接続される複数本の液体流通溝とを設けたことを特徴とする洗浄用スプレーの噴霧ノズル装置。
【請求項２】
前記頭部の液体流通溝が頭部端面の円周方向に９０度ずつ等配して４本凹設されていることを特徴とする請求項１に記載の洗浄用スプレーの噴霧ノズル装置。
【発明の詳細な説明】
【０００１】
【発明の属する技術分野】
本発明は一般家庭や病院等で介護人が手軽に使用できる洗浄用スプレーの噴霧ノズル装置に係わり、特に乳児、介護老人、病人等の尻汚れ洗浄やけが等の患部洗浄に、その他汚れた物の洗浄に使用する洗浄用スプレーの噴霧ノズル装置に関するものである。
【０００２】
【従来の技術】
従来、ボトルを手で把持して押圧すると、注水口からシャワーのように水が出で尻部汚れ等を洗浄できるように構成したボトル式洗浄器は知られている。
【０００３】
【発明が解決しようとする課題】
前記従来のボトル式洗浄器は、水をシャワー状に出して汚れを洗い流すものであるから、多量の洗浄液を必要とすることと、水圧が高くないため尻部等の汚れがうまく落ちないことなどの問題がある。
【０００４】
また、アイロン用、園芸用等のスプレーを洗浄用に使用することも考えられるが、従来公知のアイロン用、園芸用等のスプレーは、その噴霧ノズル装置が先端に螺装部を有する装置本体と、先端中心部にノズル孔を有し前記装置本体の先端螺装部に螺着されるノズルキャップと、該キャップ内に位置し前記ノズル孔から噴出する洗浄液体に旋回流を与える頭部を有した虫部材とを備え、この虫部材の頭部先端面に、前記ノズル孔に連通する所定深さの有底円形中心穴と、この円形中心穴の深さと略同一の溝深さを有し一端が頭部外周部に開口し他端が前記中心穴に接線状に連通接続される複数本の液体流通溝とを設けた構成となっている。
【０００５】
前記従来のアイロン用、園芸用等の噴霧ノズル装置では、液体流通溝から入った洗浄液体が円形中心穴で高速旋回し、キャップノズル孔から噴霧粒子の細かい霧状になって６５度位の広角度に噴霧されるので、噴射エネルギーが細かく分散してしまうために、噴霧粒子のエネルギーが細か過ぎて尻部等の汚れがうまく落ちないし、また洗浄液体に高温の湯を使用する時には高温湯が瞬時に気化し冷たい霧になってしまうという問題が発生する。
【０００６】
本発明の目的は、噴霧粒子が粗で狭角度の噴霧が可能な旋回流付与手段を有する尻部洗浄等に適した洗浄用スプレーの噴霧ノズル装置を提供することにある。
【０００７】
【課題を解決するための手段】
前記の目的を達成するために、本発明による洗浄用スプレーの噴霧ノズル装置は、先端に螺装部を有する装置本体と、先端中心部にノズル孔を有し前記装置本体の先端螺装部に螺着されるノズルキャップと、該キャップ内に位置し前記ノズル孔から噴出する洗浄液体に旋回流を与える頭部を有した虫部材とを備え、この虫部材の頭部先端面に、前記ノズル孔に連通する所定深さの有底円形中心穴と、この円形中心穴を同心的に外囲する前記中心穴より大径で深さの浅い円形浅底凹所及び該浅底凹所を外囲する頭部端面リングと、前記中心穴の深さと略同一の溝深さを有し一端が頭部外周部に開口し頭部端面リング及び前記浅底凹所を横切って他端が前記中心穴に接線状に連通接続される複数本の液体流通溝とを設けたことを特徴とする。
【０００８】
虫部材の頭部先端面に、前記のような円形浅底凹所を円形中心穴と同心的に設けると、液体流通溝から円形浅底凹所に流入する水流が図５，図１２に示すような右回り方向及び左回り方向の異方向水流になり、この異方向水流が円形中心穴を右回り方向又は左回り方向に旋回する旋回流に抵抗を与え、この異方向水流による旋回抵抗作用で旋回流の速度が遅くなる。そして旋回流の旋回速度が遅くなると、キャップノズル孔から噴出される噴霧の粒子が粗くなり、狭角度（２５から３５度位の噴霧角度）に噴霧することができる。
【０００９】
【発明の実施の形態】
以下、本発明の実施の形態を図面に従い具体的に説明する。
【００１０】
図１ないし図５は本発明の第１の実施例を示す。この実施例の洗浄用スプレーは、合成樹脂製の容器１に収容した洗浄液をハンドル２の引金操作で吸出してノズル形の装置本体１０の先端から噴霧角度θ（図３明示）が２７度位の狭角度に噴霧できるように構成したものである。
【００１１】
図１において、符合３は洗浄液吸上げ管、４は洗浄液の容器１内への逆流を阻止するボール形の逆止弁、５はハンドル２の引金操作で可動されるピストン（ハンドル戻し方向にバネ付勢されている）、６は装置本体１０方向への洗浄液の流通を許容しピストン５方向への逆流を阻止する逆止弁としてのノズル弁（閉弁方向にバネ付勢されている）、７は前記ノズル弁６を収納する弁ホルダー、８はこれらの部品を組み込む合成樹脂製のスプレー本体で、容器１の口部に螺着される基端螺口８ａと、ノズル形装置本体１０を螺着する先端螺口８ｂとを有する。
【００１２】
前記ノズル形の装置本体１０はスプレー本体７の先端螺口８ｂにＯリング９でシールして螺着される基端螺口１１と、ノズルキャップ１５をＯリング１６でシールして螺着する先端螺装部１２と、洗浄液が送出される中心流液孔１３とを有する合成樹脂の一体成形品で形成される。
【００１３】
前記ノズルキャップ１５は先端中心部にノズル孔１７を有し、前記装置本体１０の先端螺装部１２にＯリング１６でシールして図２の如く螺着される。なお前記ノズル孔１７は直径０．７ｍｍ位の小径な噴霧孔１８と、この噴霧孔１８に連通する内端が大径で噴霧孔連通部に向かって順次に小径になるテーパー状の旋回流動孔１９とからなり、この旋回流動孔１９の内端直径と後述する円形中心穴２３の直径が略同一に形成されている。
【００１４】
２０は前記キャップ１５内に位置する虫部材で、装置本体１０の先端螺装部１２に首部２１を介して一体的に連設される頭部２２を有し、前記首部２１には装置本体１０の中心流液孔１３に連通する洗浄液流出孔２１ａが設けられ、前記頭部２２の外周にはキャップ１５と頭部２２との間に流液流入間隙Ｇを図４の如く確保する４個の突条２２ａが一体的に設けられている。
【００１５】
また前記頭部２２の先端面には、前記ノズル孔１７に図２の如く連通する直径２．２ｍｍ、深さ０．７ｍｍ程度の有底円形中心穴２３と、この有底円形中心穴を同心的に外囲する前記中心穴２３より大径で深さの浅い（実施例では直径５ｍｍ、深さ０．３ｍｍ程度の）円形浅底凹所２４及び該浅底凹所を外囲する頭部端面リング２５と、前記中心穴２３の深さと略同一の溝深さを有し一端が頭部２２の外周部に開口し頭部端面リング２５及び前記浅底凹所２４を横切って他端が前記中心穴２３に接線状に連通接続される４本の液体流通溝２６とが図２乃至図４の如く設けられている。
【００１６】
なお、４本の液体流通溝２６は円周方向に９０度ずつ等配して図４，図１１の如く凹設されている。図４は流入水流が円形中心穴２３を図５の如く右回り方向に旋回するように４本の液体流通溝２６を円形中心穴２３に右回り方向の接線状に連通接続させた実施例を示し、図１１は流入水流が円形中心穴２３を図５の如く左回り方向に旋回するように４本の液体流通溝２６を円形中心穴２３に左回り方向の接線状に連通接続させた実施例を示している。
【００１７】
虫部材頭部２２の先端面に、前記のような円形浅底凹所２４を円形中心穴２３と同心的に設けると、４本の液体流通溝２６から円形浅底凹所２４に流入する水流が図５，図１２に示すような右回り方向及び左回り方向の異方向水流になり、この異方向水流が円形中心穴２３を図５の如く右回り方向に旋回する又は図１２の如く左回り方向に旋回する旋回流に抵抗を与え、この異方向水流による旋回抵抗作用で旋回流の速度が遅くなる。
【００１８】
旋回流の旋回速度が遅くなると、キャップノズル孔１７から噴出される噴霧の粒子が粗くなり、噴霧角度θが図３の如く狭角度（実施例の場合は２７度位）になるように噴霧することができる。また、高圧に加圧できるトリガー式ポンプがスプレー本体８に装備してあるので、粗い霧と高圧噴射により少ない液で洗浄効果を上げることができる。
【００１９】
図６は本発明の第２の実施例を示す。
【００２０】
この第２実施例のノズル装置は、特許第２６４８１１２号公報に開示のノズル装置と同様なものであって、虫部材３０がノズル形の装置本体３１とは別体の部品で形成されていること、この虫部材３０を装置本体３１の屈曲先端部３２内に支持して組み込み、装置本体３１の屈曲先端部３２と虫部材３０との嵌挿部に洗浄液流出路が確保される構成としていること、この虫部材３０の頭部２２先端面に、前記第１実施例と同様な有底円形中心穴２３、円形浅底凹所２４、頭部端面リング２５及び複数本の液体流通溝２６を設けていること等が前記第１実施例とは相違している。その他の構成は前記第１実施例と同様であるから、同一部分に同符合を付して詳細な説明は省略する。
【００２１】
なお、前記液体流通溝２６は図７又は図１３に示すように頭部端面リング２５及び浅底凹所２４を横切って２本設けても良い。この場合においても２本の液体流通溝２６は前記中心穴２３の深さと略同一の溝深さを有し、一端が頭部２２の外周部に開口し他端が前記中心穴２３に接線状に連通接続される。
【００２２】
前記のような２本溝の頭部構成のものであっても、噴霧角度θが前記第１実施例の場合よりも少し広がるだけで各実施例と略同様な作用効果（噴霧粒子が粗くなり、狭角度の噴霧が可能となる）を奏することができる。なお図７は流入水流が円形中心穴２３を右回り方向に旋回するように２本の液体流通溝２６を円形中心穴２３に右回り方向の接線状に連通接続させた実施例を示し、図１３は流入水流が円形中心穴２３を左回り方向に旋回するように２本の液体流通溝２６を円形中心穴２３に左回り方向の接線状に連通接続させた実施例を示している。
【００２３】
図８ないし図１０は本発明の第３の実施例を示す。
【００２４】
この第３実施例のノズル装置は図１に示すスプレー本体８を装置本体４１とし、この装置本体４１の先端螺装部１２にノズルキャップ１５をＯリング１６でシールして図９の如く螺着していること、前記キャップ１５内に位置する虫部材４０が装置本体４１の先端螺装部１２内に嵌挿保持される弁ホルダー兼用の筒体部４３と、この筒体先端に一体的に連設される頭部２２を有し、前記筒体部４３の頭部近接位置に洗浄液流出孔４３ａを設けていること、前記筒体部４３内に洗浄液流出孔４３ａ方向への洗浄液の流通を許容しピストン５方向への逆流を阻止する逆止弁としてのノズル弁（閉弁方向にスプリング６ａでバネ付勢されている）を組み込んでいること等が前記第１の実施例とは相違している。その他の構成は前記第１実施例と同様であるから、同一部分に同符合を付して詳細な説明は省略する。
【００２５】
図１４はスプレー本体８（装置本体４１）と洗浄液容器１が直接接続しているタイプの使用例を示し、図１５はスプレー本体８（装置本体４１）と洗浄液タンク５１が離れているタイプの使用例を示す。なお洗浄液タンク５１は血液バッグ形のもので、肩あて５２ａの付いた肩掛けバンド５２を備え、本体グリップ４５から延出する洗浄液吸上げ用の可撓性チューブ３ａがタンクキャップ５３を貫通して洗浄液タンク５１内に挿入されている。
【００２６】
【発明の効果】
本発明の請求項１及び請求項２の噴霧ノズル装置によると、従来のボトル式洗浄器に比して洗浄液の使用量を少なくすることができ、また従来公知のアイロン用、園芸用等のスプレーでは奏し得なかった噴霧粒子が粗で狭角度の噴霧が可能となり、少ない液量で洗浄効果のある尻部洗浄等に適した洗浄用スプレーの噴霧ノズル装置を提供することができる。
【図面の簡単な説明】
【図１】本発明の噴霧ノズル装置を備えた洗浄用スプレーの全体的な中央縦断面図。
【図２】本発明の第１の実施例による噴霧ノズル装置の主要部を示す構成説明図であって、分図（Ａ）は前記ノズル装置の先端拡大断面図、分図（Ｂ）は虫部材の先端拡大断面図。
【図３】前記ノズル装置の噴霧状態を示す要部断面図。
【図４】図２（Ａ）のａ−ａ線に沿う矢視断面図。
【図５】図３のｂ−ｂ線に沿う矢視断面図。
【図６】本発明の第２の実施例による噴霧ノズル装置の主要部を示す中央縦断面図。
【図７】本発明の噴霧ノズル装置の変形例を示す主要部の断面図。
【図８】本発明の第３の実施例による噴霧ノズル装置を備えた洗浄用スプレーの全体的な中央縦断面図。
【図９】本発明の第３の実施例による噴霧ノズル装置の主要部を示す拡大断面図。
【図１０】図９のｃ−ｃ線に沿う矢視断面図。
【図１１】図４に関係した本発明の変形例を示す断面図。
【図１２】図１１の変形例による作用説明図。
【図１３】図７に関係した本発明の変形例を示す断面図。
【図１４】スプレー本体と洗浄液容器が直接接続しているタイプの使用例を示す説明図。
【図１５】スプレー本体と洗浄液タンクが離れているタイプの使用例を示す説明図。
【符号の説明】
１０，３１，４１…装置本体、
１２…先端螺装部、
１５…ノズルキャップ、
１７…ノズル孔、
２０，３０，４０…虫部材、
２２…頭部、
２３…有底円形中心穴、
２４…円形浅底凹所、
２５…頭部端面リング、
２６…液体流通溝。
【図１】
2004097906.tif 000003
【図２】
2004097906.tif 000004
【図３】
2004097906.tif 000005
【図４】
2004097906.tif 000006
【図５】
2004097906.tif 000007
【図６】
2004097906.tif 000008
【図７】
2004097906.tif 000009
【図８】
2004097906.tif 000010
【図９】
2004097906.tif 000011
【図１０】
2004097906.tif 000012
【図１１】
2004097906.tif 000013
【図１２】
2004097906.tif 000014
【図１３】
2004097906.tif 000015
【図１４】
2004097906.tif 000016
【図１５】
2004097906.tif 000017